(57)【特許請求の範囲】
【請求項１】
直流電流（２）が通流される電気的構成要素（３）において電流零通過を生じさせるための電流零パルス（１）を生成する電流零パルス生成装置であって、
当該零パルス生成装置が、２つの極（１２），（１３）を備えた電気的なエネルギー蓄積器（４）と、スイッチ（５）とを有し、
前記２つの極（１２），（１３）を介して前記エネルギー蓄積器（４）が電圧源（１０）によって充電可能であり、当該電流零パルス生成装置により、
前記エネルギー蓄積器（４）と前記直流電流が通流される電気的構成要素（３）と前記スイッチ（５）とを介して閉回路が形成可能であり、
それによって、前記エネルギー蓄積器（４）が、前記スイッチ（５）の閉成時に、前記電気的構成要素（３）を介して前記直流電流（２）とは逆に流れる電流零パルス（１）を生成しつつ放電可能である、電流零パルス生成装置において、
前記エネルギー蓄積器（４）が、１つの電流零パルス（１）を共同で生成するための複数のエネルギー蓄積要素を有し、
前記複数のエネルギー蓄積要素が、１つの電流零パルス（１）を共同で生成するべく１つの鎖状回路網を構成しており、前記複数のエネルギー蓄積要素は、それぞれ１つのキャパシタンス（９），（９'），（９”）を有する鎖状要素（６），（６’），（６”）として構成されており、
前記鎖状回路網の複数の鎖状要素（６），（６’），（６”）がインダクタンス（７），（７’），（７”）および抵抗（８），（８’），（８”）を有し、
各鎖状要素（６），（６’），（６”）が、インダクタンス（７），（７’），（７”）と抵抗（８），（８’），（８”）とキャパシタンス（９），（９'），（９”）との直列回路として構成されており、第１の鎖状要素（６）の前記直列回路が、前記エネルギー蓄積器（４）の両極（１２），（１３）間に構成されており、後続の鎖状要素（６’），（６”）が、それぞれ先行する前記各鎖状要素（６），（６’）のキャパシタンス（９），（９'）に並列に接続されている
ことを特徴とする電流零パルス生成装置。
【請求項２】
請求項１記載の装置において、
前記エネルギー蓄積器（４）は、前記閉回路を介して前記スイッチ（５）の閉成時に振動回路を形成可能であり、それによって前記電流零パルス（１）がその流れの方向を交番するように構成されている
ことを特徴とする装置。
【請求項３】
請求項１又は２記載の装置において、
前記エネルギー蓄積要素が、それらのエネルギー蓄積要素の共同の放電によって生じる電流零パルス（１）が部分的に全体として一定の電流勾配を有するように設計されていることを特徴とする装置。
【請求項４】
請求項１から３の１つに記載の装置において、
前記エネルギー蓄積器（４）の２つの極（１２），（１４）が、充電抵抗（１１）を介して前記電圧源（１０）に接続可能である
ことを特徴とする装置。
【請求項５】
請求項１から４の１つに記載の装置において、
当該電流零パルス生成装置が、前記電気的構成要素（３）に並列に配置されたエネルギー吸収器（１４）を有する
ことを特徴とする装置。
【請求項６】
請求項５記載の装置において、
前記エネルギー吸収器（１４）が、金属酸化物アレスタとして構成されている
ことを特徴とする装置。
【請求項７】
請求項１から６の１つに記載の装置を使用する方法であって、
前記電気的構成要素（３）が真空バルブであり、前記直流電流（２）が通流される前記電気的構成要素（３）において前記電流零通過を生じさせるための前記電流零パルス（１）を生成する
ことを特徴とする方法。
【発明の詳細な説明】
【技術分野】
【０００１】
本発明は、直流電流が通流される電気的構成要素、特に真空バルブにおいて電流零通過を生じさせるための電流零パルスを生成する装置に関する。
【背景技術】
【０００２】
真空バルブは、しばしば、交流系統内の電流の負荷開閉器又は電力開閉器として使用される。この真空バルブは、陽極電流もしくは開閉電流を遮断するために、交流電圧の負半波によってもたらされる負電圧を必要とする。直流電流を遮断しようとする際に、電流零通過がない場合には、必要な電流零通過を生じさせるべく、その直流電流に重畳できる電流パルス、即ち電流零パルスが必要である。
【０００３】
電流零パルスにより強制的に電流零通過を生じさせる従来の方法においては、一般に、簡単なＲＬＣ振動回路（抵抗、インダクタンス、キャパシタンスに基づく振動回路）が使用される。直流電流を遮断しようとする際には、真空バルブが開極され、電流零パルスが印加され、電流が遮断される。ＲＬＣ振動回路によって生成される電流零パルスは、正弦波状の電流波形を有する。ＲＬＣ振動回路の周波数の高さは、一般にＫＨｚ範囲にあり、従って、明らかに交流系統内で通常発生する周波数を上回る。
【０００４】
真空バルブによる電流遮断は、電流零通過時の或る特定の最大電流勾配ｄＩ／ｄｔ（電流の時間微分）までは比較的安定に行われる。ＲＬＣ振動回路の電流勾配は余弦関数に相当する。ＲＬＣ振動回路の設計は、或る特定の予め与え得る電流の大きさに対してしか、最適化できない。従って、様々の開閉電流において同じままの電流通過パルスであると、電流遮断時点で様々な電流勾配が生じ、場合によってはその開閉電流の零通過にとって最適でない電流勾配が生じる。
【０００５】
従って、大きな振幅を有する電流零パルスを生じるように設計されたＲＬＣ振動回路は、初めのうちは非常に大きいが、時間および振幅が増すにともなって余弦関数にしたがって低下する電流勾配を有する。相殺されるべき直流電流が大きい場合には、電流勾配が余弦関数にしたがって既に低下して、それにより十分に小さくなった時点で、電流零通過が行われる。しかし、相殺されるべき直流電流が小さい場合には、電流零パルスの電流勾配がなおも非常に大きい、場合によって大きすぎる、早い時点で既に電流零通過が行われる。
【発明の概要】
【発明が解決しようとする課題】
【０００６】
本発明の課題は、異なる大きさの開閉電流の遮断を、できるだけ一定の電流勾配ｄＩ／ｄｔで可能にする、電流零パルス生成装置を提供することにある。
【課題を解決するための手段】
【０００７】
この課題は、独立請求項の特徴事項によって解決される。有利な実施形態は、従属請求項に記載されている。
【０００８】
本発明によれば、直流電流が通流される電気的構成要素、特に真空バルブにおいて、電流零通過を生じさせるための電流零パルスを生成する電流零パルス生成装置が、２つの極を備えた電気的なエネルギー蓄積器と、スイッチとを有し、それらの２つの極を介して、前記エネルギー蓄積器が電圧源によって充電可能である。電流零パルス生成装置によって、前記エネルギー蓄積器と前記直流電流が通流される電気的構成要素と前記スイッチとを介して、閉回路が形成可能であり、それにより、前記エネルギー蓄積器が、前記スイッチの閉成時に、前記電気的構成要素を介して前記直流電流とは逆に流れる電流零パルスを生成しつつ放電可能であり、前記エネルギー蓄積器が、１つの電流零パルスを共同で生成するべく、複数のエネルギー蓄積要素を有する。
【０００９】
この種の装置の利点は、電流零パルスの形状、即ち振幅の時間的経過が、複数のエネルギー蓄積要素の放電曲線の重ね合わせによって形成できることにある。このようにして、電気的構成要素における直流電流を遮断するのに必要な、殆ど任意に形成できる電流零パルスを、生成することができる。電気的構成要素という技術用語は、一般に、その電気的構成要素が複雑な（場合によっては集積化された）回路、又は機器、特に通常の交流開閉装置も含んでいると理解すべきである。
【００１０】
複数のエネルギー蓄積要素は、それらが異なる放電曲線を有するように異ならせて構成するのが有利である。電流零パルスを共同で形成するための複数のエネルギー蓄積要素の放電は、異なる方法で、例えば並行して、時間的にずらされて、互いに従属的に、又は連鎖的に、行われるとよい。
【００１１】
前記エネルギー蓄積器は、前記閉回路を介して前記スイッチの閉成時に振動回路が形成可能であることにより、電流零パルスがその流れを交番するように構成されていると有利である。このような構成は、前記直流電流が通流される導線路に前記エネルギー蓄積器が接続可能である分岐点を、前記直流電流の方向において前記エネルギー蓄積器の前に配置することができるという利点をもたらす。この場合、前記エネルギー蓄積器の放電時に、前記電気的構成要素を通して流れる直流電流が、電流零パルスによって最初のうちは強められる。その後、電流零パルスは、その形成された振動回路のおかげで方向を反転し、その負方向の半波により、前記直流電流を相殺する。
【００１２】
共同で１つの電流零パルスを生成するための複数のエネルギー蓄積要素が１つの鎖状回路網を構成しており、これらの複数のエネルギー蓄積要素が、それぞれ１つのキャパシタンスを有する鎖状要素として構成されていると、有利である。
【００１３】
前記鎖状回路網とは、電気的回路装置の形で同じように構成された複数の鎖状要素の電気的な結合体であると理解すべきである。
【００１４】
同じような鎖状要素の使用は、合理化可能な製造可能性という利点をもたらし、鎖状の構成は、時間的な依存性又は配列を形成できるという利点をもたらす。
【００１５】
前記鎖状回路網の複数の鎖状要素が、インダクタンス、抵抗およびのキャパシタンスを有するようにすると有利である。受動的な構成要素による構成は、安価に製造可能であり、特にインダクタンス、抵抗およびキャパシタンスから、簡単な構造を有しさらにはエネルギー蓄積要素としてのキャパシタンスの制御された放電過程を可能にする装置を、構成することができる。
【００１６】
各鎖状要素が１つのＲＬＣ回路として構成されており、即ち各鎖状要素がインダクタンスと抵抗とキャパシタンスとの直列回路として構成されており、第１の鎖状要素の直列回路が前記エネルギー蓄積器の両極間に構成されており、後続の鎖状要素がそれぞれ先行する鎖状要素のキャパシタンスに並列に接続されていると、有利である。この種の構成は、異なる周波数の複数の振動回路、つまり異なる電流勾配を有する電流零パルス成分を持った複数の振動回路を構成できる可能性を提供する。特に、この構成は、それらの負半波が高振幅において小さい電流勾配を有する複数の電流零パルスを形成することができるという可能性を提供する。例えば、大きな直流電流を遮断するための真空バルブは、高い振幅と小さい電流勾配とを有する電流零パルスを必要とする。相応の必要条件を満たし且つ１つの純粋なＲＬＣ振動回路のみで構成されたエネルギー蓄積器に比べて、相応に適切にパラメータ化されて複数のＲＬＣ要素から構成された鎖状回路網は、比較的短い電流パルスの放出のもとで少ない蓄積すべきエネルギーと、構造的に小さい寸法とを必要とする。
【００１７】
電流零パルス生成装置が次のように設計されている複数のエネルギー蓄積要素、即ち、複数のエネルギー蓄積要素の、共同の放電によって生じる電流零パルスが、部分的に全体としてほぼ一定の電流勾配を有するように設計されている複数のエネルギー蓄積要素を有すると、有利である。例えば、この電流零パルス発生装置は、電流零パルスが部分的に全体としてほぼ一定の電流勾配を有するように選定されたインダクタンス、抵抗およびキャパシタンスを含んだ複数の鎖状要素を備えた１つの鎖状回路網を有するものとして実施することができる。
【００１８】
この種の電流零パルス生成装置は、この装置を、例えば或る特定のほぼ一定の電流勾配の実現を目指すものとして構成することができ、しかもその電流勾配が、相殺されるべき直流電流の電流零通過時点での大きさに関係なく、電流零パルスの側で、その形成された電流勾配を有するという利点を有する。従って、この種の電流零パルス発生装置は、適切なパラメータ設定であれば、例えば、開閉時点で真空バルブに流れる或る一定の直流電流を、その大きさに関係なく、予め設定可能な電流勾配のもとで相殺するのに適している。換言するならば、この電流零パルス発生装置によって、このような構成のもとで、さまざまの大きさを有する直流電流に対して最適な電流勾配で以て、電流零通過を生じさせることができる。
【００１９】
前記エネルギー蓄積器が次のように設計されている複数の、特に３つのエネルギー蓄積要素を有すると有利である。即ち、複数のエネルギー蓄積要素は、これらのエネルギー蓄積要素の共同の放電によって生じる電流零パルスが全体としてほぼ三角形状又は傾斜状の電流経過を有するように設計されている。格別に好ましくは、前記エネルギー蓄積器が３つの鎖状要素を含む１つの鎖状回路網を有し、それらの鎖状要素のインダクタンス、抵抗およびキャパシタンスが、次のように設計されている、即ち、電流零パルスが全体としてほぼ三角形状又は傾斜状の電流経過を有するように設計されている。電流零パルスのこのような時間的経過は、受動的な構成要素で簡単に実現でき、部分的に、一定の電流勾配を有する電流零パルスをもたらす。
【００２０】
さらに、電流零パルス生成装置は、前記エネルギー蓄積器の両極が充電抵抗を介して電圧源に接続できるように構成されていると有利である。さらに、電流零パルス生成装置は、この電圧源が、相殺されるべき直流電流のための電気エネルギーを供給するのと同じ電圧源であるように構成されていると有利である。この種の構成は、第２の電圧源を省略することを可能にする。前記充電抵抗は、次のように配置されていると有利である。即ち、この充電抵抗が、前記電圧源と前記電気的構成要素と前記スイッチと共に、第２の閉回路を構成しており、前記スイッチと前記電気構成要素と前記エネルギー蓄積器とから成る前述の閉回路内に含まれておらず、かつ相殺されるべき直流電流の電流経路内に配置されていない。
【００２１】
さらに、電流零パルス生成装置は、この装置が電気的構成要素に並列に配置されたエネルギー吸収器を有するように構成されていると有利である。このエネルギー吸収器によって、前記電気的構成要素を通して流れる直流電流の遮断時に、その遮断に起因して放出されるエネルギーを吸収することができる。前記エネルギー吸収器は、金属酸化物アレスタとして、例えば金属酸化物抵抗又は金属酸化物バリスタとして構成されていると有利である。金属酸化物アレスタは、主として経年変化に対して安定に実現することができ、サージ吸収中に生じるエネルギーを吸収するのに適している。
【００２２】
直流電流が通流される電気的構成要素において電流零パルスを生成するために電流零パルス生成装置が使用され、その電気的構成要素が真空バルブであると有利である。この種の使用法の場合、この電流零パルス生成装置によって、直流遮断器を構成することができる。
【００２３】
以下において、添付図面を参照しつつ、本発明を好ましい実施例に基づいて、さらに詳細に説明する。
【図面の簡単な説明】
【００２４】
【図１】３つの鎖状要素からなる鎖状回路網を有する本発明実施例を示す。
【図２】直流遮断器を構成するために本発明の使用法を用いた実施例を示す。
【発明を実施するための形態】
【００２５】
図１は、本発明の好ましい実施例を示す。この図１には、直流電流２が通流される電気的構成要素３において電流零通過を生じさせるための電流零パルス１を生成する電流零パルス生成装置が示されている。電気的構成要素３は、真空バルブとして実施されている。
【００２６】
電流零パルス生成装置は、２つの極１２，１３を備えた電気的エネルギー蓄積器４を有し、そのエネルギー蓄積器４は、図２に示す電圧源１０によって充電可能である。さらに、電流零パルス生成装置は、エネルギー蓄積器４と、直流電流が通流される電気的構成要素３と、スイッチ５とを介して、１つの閉回路を成しており、それにより、エネルギー蓄積器４は、スイッチ５の閉成時に、電気的構成要素３を介して、直流電流２を最初のうちは強める電流零パルス１を生成しつつ、放電することができる。
【００２７】
エネルギー蓄積器４は、１つの電流零パルス１を共同で生成するべく、複数のエネルギー蓄積要素を１つの鎖状回路網の鎖状要素６，６’，６”の形で有する。その鎖状回路網の鎖状要素６，６’，６”は、インダクタンス７，７’，７” と、抵抗８，８’，８” と、キャパシタンス９，９’，９”とを有する。各鎖状要素６，６’，６”は、１つのインダクタンス７，７’，７” と、１つの抵抗８，８’，８” と、１つのキャパシタンス９，９’，９”との直列回路から構成されている。エネルギー蓄積器４の両極１２，１３間には、第１の鎖状要素６の直列回路が形成されている。後続の鎖状要素６’，６”の直列回路は、それぞれに先行する鎖状要素６，６’のキャパシタンス９，９’に並列に接続されている。
【００２８】
この種の実施形態では、前記鎖状回路網によって１つの振動回路が構成され、その振動回路の振動は、電気的構成要素３が通電状態を有する場合に、スイッチ５の閉成によって始動可能である。
【００２９】
スイッチ５の閉成時には、キャパシタンス９，９’，９”が、１つの電流零パルス１の正半波を形成しつつ放電する。電流零パルス１の正半波は、直流電流２と同じ方向を有するので、電気的構成要素３において、初めのうちは両電流が加算される。
【００３０】
キャパシタンス９，９’，９”の放電後、キャパシタンス９，９’，９”において電圧Ｕの極性反転が起こるまで、インダクタンス７，７’，７”が電流零パルス１を維持する。電圧が大きくなるにともなって、電流零パルス１の振幅はそれの零通過点まで低下してゆく。
【００３１】
キャパシタンス９，９’，９”における電圧Ｕの極性反転に基づいて、電流零パルス１のその正半波の後に１つの負半波が続く。電流零パルス１のこの負半波が直流電流２とは反対方向であるので、それ相応の設計をするならば、直流電流２は電流零パルス１の負半波によって相殺可能であり、両電流が加算されることから電気的構成要素３において電流零通過を達成することができる。
【００３２】
鎖状要素６，６’，６”のインダクタンス７，７’，７” 、抵抗８，８’，８” およびキャパシタンス９，９’，９”は、電流零パルス１が部分的に全体としてほぼ一定の電流勾配を有するように設計されている。
【００３３】
図２は、直流遮断器１７を構成するための本発明の使用法の実施例を示す。エネルギー蓄積器４の構成、ならびに、エネルギー蓄積器４と電気的構成要素３およびスイッチ５との協働は、図１の実施例と同一である。図１に示した装置だけではなく、図１に示したエネルギー蓄積器４、即ちここではインダクタンス７，７’，７”と抵抗８，８’，８” とキャパシタンス９，９’，９”とを有する鎖状回路網によって描かれたエネルギー蓄積器４が、充電抵抗１１を介して電圧源１０に接続されていることが、図２に明示されている。
【００３４】
さらに、その同じ電圧源１０によって、相殺されるべき直流電流２のための電気エネルギーが供給される。充電抵抗１１は、この充電抵抗が電圧源１０と電気的構成要素３とスイッチ５と共に第２の閉回路を形成するように配置されており、スイッチ５と電気的構成要素３とエネルギー蓄積器４とからなる前述の閉回路には含まれておらず、かつ相殺されるべき直流電流２の電流路内に配置されていない。さらに、スイッチ５が開路されている場合には、電圧源１０とエネルギー蓄積器４と充電抵抗１１とから成る、別の閉回路、即ち第３の閉回路が、電圧源１０の電圧ＵＤＣへのキャパシタンス９，９’，９”の充電を可能にする。
【００３５】
スイッチ５が閉成されると、エネルギー蓄積器４のキャパシタンス９，９’，９”が、電気的構成要素３およびスイッチ５を介して、電流零パルス１の形で放電を行う。真空バルブの形で実施されている電気的構成要素３は、スイッチ５に連結されていて、スイッチ５の閉成時には開極されるので、電流零パルス１の負半波によって引き起こされる電流零通過の到達によって、直流電流２が遮断可能である。
【００３６】
電圧ＵＤＣを有する電圧源１０には、直流遮断器１７を介して、誘導成分１５および抵抗成分１６を有する開閉負荷が接続されており、その開閉負荷によって、直流電流２が決定される。さらに、図２に明示されているように、電流零パルス生成装置は電気的構成要素３に並列に配置されたエネルギー吸収器１４を有する。
【００３７】
電気的構成要素３を通る直流電流２の遮断時には、開閉負荷の誘導成分に起因して電気的構成要素３に過電圧が生じるが、この過電圧は、金属酸化物アレスタとして実施されたエネルギー吸収器１４によって吸収されるようにすることができる。
【符号の説明】
【００３８】
１          電流零パルス
２          直流電流
３          電気的構成要素
４          エネルギー蓄積器
５          スイッチ
６          鎖状要素
７          インダクタンス
８          抵抗
９          キャパシタンス
１０        電圧源
１１        充電抵抗
１２        エネルギー蓄積器の極
１３        エネルギー蓄積器の極
１４        エネルギー吸収器
１５        開閉負荷、誘導成分
１６        開閉負荷、抵抗成分
１７        直流遮断器
【図１】
0006382440.tif 000002
【図２】
0006382440.tif 000003